(57)【要約】【課題】ウェブのセッティングが簡単で作業性がよく製品の不良を低減し得るウェブ状物品のプラズマ処理装置を提供すること。【解決手段】ウェブ状物品を巻出しロールから送出して巻取りロールによって収受し、前記巻出しロールと前記巻取りロールとの間に所要数の支持ロールが配されて前記支持ロールにより規制される物品通過経路が形成され、この物品通過経路に沿って配設された電極により前記ウェブ状物品を処理するようにした、ウェブ状物品のプラズマ処理装置において、前記支持ロールと前記電極とが組合わされて上下方向に移動可能に構成された複数のロール電極組立体と、前記ロール電極組立体を前記物品通過経路に沿って上または下に移動させる昇降装置と、をそなえたことを特徴とするウェブ状物品のプラズマ処理装置。【選択図】　図１
2004124163.tif 000002
【特許請求の範囲】
【請求項１】
ウェブ状物品を巻出しロールから送出して巻取りロールによって収受し、前記巻出しロールと前記巻取りロールとの間に所要数の支持ロールが配されて前記支持ロールにより規制される物品通過経路が形成され、この物品通過経路に沿って配設された電極により前記ウェブ状物品を処理するようにした、ウェブ状物品のプラズマ処理装置において、
前記支持ロールと前記電極とが組合わされて上下方向に移動可能に構成された複数のロール電極組立体と、
前記ロール電極組立体を前記物品通過経路に沿って上または下に移動させる昇降装置と、
をそなえたことを特徴とするウェブ状物品のプラズマ処理装置。
【請求項２】
請求項１記載のウェブ状物品のプラズマ処理装置において、
前記昇降装置は、前記ロール電極組立体を前記物品通過経路に沿って交互に上下に分かれて移動するように昇降させるウェブ状物品のプラズマ処理装置。
【請求項３】
請求項１記載のウェブ状物品のプラズマ処理装置において、
前記昇降装置は、前記ロール電極組立体の昇降量が前記物品通過経路に沿う位置によって異なるように構成されたウェブ状物品のプラズマ処理装置。
【発明の詳細な説明】
【０００１】
【産業上の利用分野】
本発明は、樹脂製のウェブをプラズマ処理するための装置に係り、とくにウェブを移送しながらプラズマ処理する装置に関する。
【０００２】
【従来の技術】
従来のこの種のプラズマ処理装置は、例えばウェブ表面のエッチングであるとか表面改質を行うもので、図３に示すように構成されている。すなわち、巻出しロールＲｏと巻取りロールＲｉとの間に、支持ロールＲ１１ないしＲ１７により形成される搬送経路があり、支持ロールＲ１１−Ｒ１７相互間には電極Ｅ１１，Ｅ１２、Ｅ２１，Ｅ２２、…、Ｅ６１，Ｅ６２が対向配置されている。そして、巻出しロールＲｏから巻取りロールＲｉに向けてウェブＷを送り出し、所要の処理を施す。
【０００３】
【特許文献１】
特開２０００−２００７７３号公報
【特許文献２】
特開２００１−４９４６９号公報
【０００４】
【発明が解決しようとする課題】
ここで、支持ロールＲ１１ないしＲ１７は、何れも固定支持されている。そのため、巻出しロールＲｏと巻取りロールＲｉとの間にウェブＷをセットするには、巻出しロールＲｏから引き出したウェブＷを、各支持ロールＲ１１ないしＲ１７、および電極Ｅ１１，Ｅ１２、Ｅ２１，Ｅ２２、…、Ｅ６１，Ｅ６２の間を通して巻取りロールＲｉまで導くことが必要である。
【０００５】
しかしながら、この作業はそもそも作業性が良くない上に、注意深く作業しないとウェブＷに折り傷を付ける等の問題を生じることになる。しかも、巻出しロールＲｏから巻取りロールＲｉまでのウェブ送り経路が固定であるから、ウェブＷをセットする際にウェブＷの先頭部分に処理を施せず、無駄になる部分が必ず生じる。
【０００６】
本発明は上述の点を考慮してなされたもので、ウェブのセッティングが簡単で作業性がよく製品の不良を低減し得るウェブ状物品のプラズマ処理装置を提供することを目的とする。
【０００７】
【課題を解決するための手段】
上記目的達成のため、本発明では、
ウェブ状物品を巻出しロールから送出して巻取りロールによって収受し、前記巻出しロールと前記巻取りロールとの間に所要数の支持ロールが配されて前記支持ロールにより規制される物品通過経路が形成され、この物品通過経路に沿って配設された電極により前記ウェブ状物品を処理するようにした、ウェブ状物品のプラズマ処理装置において、前記支持ロールと前記電極とが組合わされて上下方向に移動可能に構成された複数のロール電極組立体と、前記ロール電極組立体を前記物品通過経路に沿って上または下に移動させる昇降装置と、をそなえたことを特徴とするウェブ状物品のプラズマ処理装置、
を提供するものである。
【０００８】
【発明の実施の形態】
図１は、本発明の一実施例における、ウェブセット時の状態を示す図である。図示のように、支持ロールＲ１には電極Ｅ１が、支持ロールＲ２には電極Ｅ２が、という具合に支持ロールと電極とが１対１で組合わされて７つのロール電極組立体を構成している。
【０００９】
そして、本発明では、７つのロール電極組立体のうち、一つ置きの３つのロール電極組立体が可動、つまり図１における上下方向に移動可能に支持されている。
【００１０】
すなわち、支持ロールＲ１ないしＲ７のうちＲ２，Ｒ４，Ｒ６、および電極Ｅ１ないしＥ７のうちＥ２，Ｅ４，Ｅ６が図示上下方向に可動であり、支持ロールと電極とが組合わされた状態で、図示しない昇降装置の昇降作用によって図示上下方向に移動できるように構成されている。
【００１１】
この図１に示す状態において、ウェブ状物品Ｗのセッティングが行われる。すなわち、巻出しロールＲｏと巻取りロールＲｉとの間に、直線的なパスつまりウェブ経路Ｗが形成されるから、巻出しロールＲｏから巻取りロールＲｉに向ってウェブ状物品Ｗを真っ直ぐに引っ張ればセッティングすることができる。
【００１２】
このように真っ直ぐに引っ張れば、ウェブ状物品Ｗにテンションを掛けた状態でセッティングできるため、セッティングの際に、ウェブ状物品Ｗが折れ曲がることを防止できる。しかも、真っ直ぐに引っ張るだけであるから、セッティング作業を迅速に行うことができる。
【００１３】
図２は、支持ロールＲ２と電極Ｅ２との組合せ、支持ロールＲ４と電極Ｅ４との組合せおよび支持ロールＲ６と電極Ｅ６との組合せが、図示下方に下降した状態を示している。この状態で、ウェブ状物品の処理が行われる。
【００１４】
この図２に示すように、可動式の支持ロールＲ２，Ｒ４，Ｒ６は、固定式の支持ロールＲ１，Ｒ３，Ｒ５，Ｒ７の相互間に配置されており、図示下方向に移動することにより、ウェブ状物品の走行経路をジグザグ状に変え、かつ延長する。
【００１５】
この状態で、ウェブ状物品Ｗの表面に電極Ｅ１ないしＥ７が対向しており、ウェブ状物品Ｗの表面に処理、たとえばエッチングを施す。
【００１６】
そのためには、図１の状態でウェブ状物品Ｗをセッティングした上で、ロールＲ２と電極Ｅ２とのロール電極組立体、およびロールＲ４と電極Ｅ４、ロールＲ６と電極Ｅ６、の各ロール電極組立体を押し下げて図２の状態に移行させ、ジグザグ状のパスを形成する。
【００１７】
これにより処理開始状態となり、この状態でパスにあるウェブ状物品Ｗの部分は必要な処理の一部だけが施されるに過ぎない。そして、処理開始時にパス最後端の直後の位置に有った部分のウェブ状物品Ｗが最初の製品となる。
【００１８】
したがって、ウェブ状物品Ｗをセッティングした後、ロール電極組立体を押し下げることによりパス上にあるウェブ状物品Ｗは無駄になるが、無駄部分はそれ以上生じない。つまり、ウェブ状物品Ｗのセッティング作業でウェブ状物品Ｗを損傷することを計算に入れる必要がないだけ、ウェブ状物品Ｗの無駄は減少する。
【００１９】
（変形例）
上記実施例では、複数のロール電極組立体を同時に同量だけ移動させるようにしているが、これをパス上の位置に応じて変えてもよい。例えば、巻出しロールＲｏの近くでは大きく降下させ、巻取りロールＲｉの近くでは小さく降下させ、中間は中ぐらいに降下させるというものである。これにより、ウェブ状物品Ｗを処理液に浸漬させる場合は、浸漬時間が段々に短くなるようにできるから、ロール電極組立体一つ毎に処理液が異なる処理槽を配置しておけば、パス上の位置に応じて処理量を変えることができる。
【００２０】
そして、ロール電極組立体毎の処理量を任意に変えるには、ロール電極組立体の降下量を任意に選んでもよい。
【００２１】
【発明の効果】
本発明は上述のように、ウェブ状物品を巻出しロールから巻取りロールに送りながら途中に配された支持ロール間にある電極を用いて処理を行うプラズマ処理装置において、支持ロールと電極との組立体を形成し、この組立体を昇降可能にしたため、巻出しロールと巻取りロールとの間に直線的なものを含む物品通過経路を形成することができる。この結果、処理すべきウェブ状物品のセッティングが極めて容易になる。
【図面の簡単な説明】
【図１】本発明の一実施例における処理開始前の状態を示す説明図。
【図２】図１に示された実施例における処理中の状態を示す説明図。
【図３】従来のプラズマ処理装置の構成を示す説明図。
【符号の説明】
Ｒｏ　巻出しロール
Ｒｉ　巻取りロール
Ｒ１−Ｒ２、Ｒ１１−Ｒ１７　支持ロール
Ｅ１−Ｅ７、Ｅ１１−Ｅ６２　電極
Ｗ　ウェブ状物品
【図１】
2004124163.tif 000003
【図２】
2004124163.tif 000004
【図３】
2004124163.tif 000005